(57)【特許請求の範囲】
【請求項１】
変調周波数上昇期間(アップフェーズ)と変調周波数下降期間(ダウンフェーズ)から成る連続波を間欠的に送信信号とローカル信号に切換え、このローカル信号と受信信号間のビート信号を用いるレーダ装置における目標相対距離・相対速度探索方法において、
間欠的な送信信号からの遅れ時間のみにより制限される距離範囲に相当するビート周波数とあらかじめ設定された測定速度範囲から、組合せ探索に使用するアップフェーズにおけるビート周波数の範囲と組合せ探索に使用するダウンフェーズにおけるビート周波数の範囲を設定するステップと、
上記範囲に限って、アップフェーズにおけるビート周波数とダウンフェーズにおけるビート周波数について同一目標に対する組合せを探索するステップと
を含むことを特徴とするレーダ装置における目標相対距離・相対速度探索方法。
【請求項２】
アップフェーズと無変調フェーズから成る連続波を間欠的に送信信号とローカル信号に切換え、このローカル信号と受信信号間のビート信号を用いるレーダ装置における目標相対距離・相対速度探索方法であって、
間欠的な送信信号からの遅れ時間のみにより制限される距離範囲に相当するビート周波数とあらかじめ設定された測定速度範囲から、組合せ探索に使用するアップフェーズにおけるビート周波数の範囲と組合せ探索に使用する無変調フェーズにおけるビート周波数の範囲を設定する第１のステップと、
上記範囲内とされた無変調フェーズにおけるビート周波数についてあらかじめ定められた基準で設けられた優先順位を設定する第２のステップと、
上記範囲に限って、上記優先順位の無変調フェーズにおけるビート周波数とアップフェーズにおけるビート周波数について同一目標に対する組合せを探索する第３のステップと
を含むことを特徴とするレーダ装置における目標相対距離・相対速度探索方法。
【請求項３】
上記第２のステップの代わりに、
レーダプラットフォームの対地速度を計測し、上記範囲内とされた無変調フェーズにおけるビート周波数について上記対地速度で接近している目標に相当するビート周波数付近の結果を棄却した後、あらかじめ定められた基準で設けられた優先順位を設定するステップを用いることを特徴とする請求項２記載のレーダ装置における目標相対距離・相対速度探索方法。
【請求項４】
複数の変調形態をなす連続波を間欠的に送信信号とローカル信号に切換えて送出する信号発生手段と、
該信号発生手段からの送信信号が外部の目標で反射されてくる受信信号と上記ローカル信号間のビート信号を形成して記憶するビート信号形成手段と、
該ビート信号形成手段からの間欠的な送信信号からの遅れ時間のみにより制限される距離範囲に相当するビート信号とあらかじめ設定された測定速度範囲に基づいて上記目標に対する相対速度および相対距離を計測する信号処理手段と
を備えたことを特徴とするレーダ装置。
【請求項５】
上記信号発生手段は、アップフェーズとダウンフェーズの変調波形を発生する変調波形発生部を備え、
上記信号処理手段は、間欠的な送信信号からの遅れ時間のみにより制限される距離範囲に相当するビート周波数とあらかじめ設定された測定速度範囲から、組合せ探索に使用するアップフェーズにおけるビート周波数の範囲と組合せ探索に使用するダウンフェーズにおけるビート周波数の範囲を設定する手段、および上記範囲に限って、アップフェーズにおけるビート周波数とダウンフェーズにおけるビート周波数について同一目標に対する組合せを探索する手段を有する信号処理部を備えたことを特徴とする請求項４記載のレーダ装置。
【請求項６】
上記信号発生手段は、アップフェーズと無変調フェーズの変調波形を発生する変調波形発生部を備え、
上記信号処理手段は、間欠的な送信信号からの遅れ時間のみにより制限される距離範囲に相当するビート周波数とあらかじめ設定された測定速度範囲から、組合せ探索に使用するアップフェーズにおけるビート周波数の範囲と組合せ探索に使用する無変調フェーズにおけるビート周波数の範囲を設定する手段、上記範囲内とされた無変調フェーズにおけるビート周波数についてあらかじめ定められた基準で設けられた優先順位を設定する手段、および上記範囲に限って、上記優先順位の無変調フェーズにおけるビート周波数とアップフェーズにおけるビート周波数について同一目標に対する組合せを探索する手段を有する信号処理部を備えたことを特徴とする請求項４記載のレーダ装置。
【請求項７】
更に、レーダプラットフォームの対地速度を計測するレーダプラットフォーム対地速度計測部を備え、
上記信号処理手段は、上記信号処理部内の優先順位を設定する手段に代えて、
上記範囲内とされた無変調フェーズにおけるビート周波数について上記対地速度で接近している目標に相当するビート周波数付近の結果を棄却した後、あらかじめ定められた基準で設けられた優先順位を設定する手段を有する信号処理部を備えたことを特徴とする請求項６記載のレーダ装置。
【発明の詳細な説明】
【０００１】
【発明の属する技術分野】
この発明は、車輌等に搭載されるレーダ装置に係り、特に、対象物の相対距離及び相対速度を計測することができるレーダ装置およびこのレーダ装置における目標相対距離・相対速度探索方法に関するものである。
【０００２】
【従来の技術】
車輌等に搭載されるレーダ装置は、対象とする目標の距離が数ｍ〜200ｍ程度の範囲であり、また、アンテナは送受兼用として１つにした方が装置が小型になり搭載には望ましい。このような要求を満たすレーダ方式として、FMICW(Frequency Modulated Interrupted Continuous Wave)方式があげられる。
【０００３】
図１５はFMICW方式による従来のレーダ装置の基本構成を示す構成図である。図において、レーダ装置１は、各種の制御信号を発生する制御部２と、制御部2からの制御信号に基づいてアップフェーズ（変調周波数上昇期間）とダウンフェーズ（変調周波数下降期間）の変調波形を発生する変調波形発生部３と、変調波形発生部３からの出力信号に応答してアップフェーズのVCO信号とダウンフェーズのVCO信号を発生する電圧制御発振器（以下、VCOと称する)４と、ＶＣＯ４と目標８を追跡するように設置されたアンテナ７とにそれぞれ接続された可動端子、相互に共通接続された端子ｔおよび後述の分配回路９ｂ、９ａにそれぞれ接続された端子ｒを有するスイッチ５および６とを備える。
スイッチ５および６は、制御部２によって制御され、図１７に示すようにあらかじめ設定された時間τだけt端子へ、あらかじめ設定された時間T-τの間はr端子へそれぞれ同期して接続される動作を繰り返すようになされている。
【０００４】
分配回路９ａの一方の出力端子はミキサ１１ａの一方の入力端子に接続され、他方の出力端子はミキサ１１ｂの一方の入力端子に接続される。また、分配回路９ｂの一方の出力端子はミキサ１１ａの他方の入力端子に接続され、他方の出力端子は移相回路１０を介してミキサ１１ｂの他方の入力端子に接続される。
ミキサ１１ａおよび１１ｂの出力端子はそれぞれアナログ信号をデジタル信号に変換するＡ／Ｄ変換器１２ａおよび１２ｂに接続され、Ａ／Ｄ変換器１２ａおよび１２ｂで変換されたデジタル信号はそれぞれメモリ１３ａおよび１３ｂに格納される。
メモリ１３ａおよび１３ｂの出力端子は、共に信号処理部１４に接続され、信号処理部１４の出力端子は表示部１５に接続される。
これらの構成要素９〜１５もまたレーダ装置１に含まれるものである。
【０００５】
また、図１６はFMICW方式における各信号の時間に対する周波数を示したものであり、以下では時間の経過につれて周波数が高くなる変調区間をアップフェーズとし、時間の経過につれて周波数が低くなる変調区間をダウンフェーズとする。
図において、アップフェーズのVCO信号１６ａ、ダウンフェーズのVCO信号１６ｂはＶＣＯ４から発生される信号であり、アップフェーズの送信信号１７ａ、ダウンフェーズの送信信号１７ｂはスイッチ５および６がｔ端子に接続されている時間τの間ＶＣＯ４からアンテナ７を介して空中へ放射される信号である。
【０００６】
また、アップフェーズのローカル信号１８ａおよびダウンフェーズのローカル信号１８ｂはスイッチ５および６がｒ端子に接続されている時間Ｔ−τの間ＶＣＯ４から分配回路９ｂに入力される信号であり、アップフェーズの受信信号１９ａおよびダウンフェーズの受信信号１９ｂはスイッチ５および６がｒ端子に接続されている時間Ｔ−τの間送信信号より所定時間遅れてアンテナ７で受信されて分配回路９ａに入力される信号であり、アップフェーズのビート信号２０ａおよびダウンフェーズのビート信号２０ｂはミキサ１１ａ、１１ｂによりローカル信号１８ａ、１８ｂと受信信号１９ａ、１９ｂがミキシングされて出力される信号である。
【０００７】
図１７はスイッチ５およびスイッチ６における端子の接続のタイミングを時間に対して示したものであり、いま、スイッチ５およびスイッチ６が端子ｔおよびｒに接続される全時間をＴ＝（ｎ＋１）τとすると、上述のごとく、スイッチ５および６は、制御部２によって制御されて、あらかじめ設定された時間τだけt端子へ、あらかじめ設定された時間T-τの間はr端子へそれぞれ同期して接続される動作を繰り返す。
【０００８】
図１８は図１５のメモリ１３における、アップフェーズとダウンフェーズのサンプルデータについて示したものであり、図１６の送信信号１７ａ、１７ｂに対して時間Ｒ１〜Ｒｎのタイミングでサンプリングすると、これに対応してデータＰ１〜Ｐｎが取り込まれ、図１８の下側に行Ｐ１〜Ｐｎおよび列Ｒ１〜Ｒｎで表したアップフェーズ用データマトリクス２１ａ、２１ｂがメモリ１３上に確保される状態を表している。
【０００９】
図１９は図１５の信号処理部１４の基本構成を示すブロック図である。
図において、信号処理部１４は、後述される図２０に示すような信号処理を行う信号処理制御部２２と、この信号処理制御部２２の制御の下に前段のメモリ１３aおよび１３ｂからのアップフェーズデータとダウンフェーズデータから周波数スペクトルを分析する周波数分析部２３ａおよび２３ｂと、信号処理制御部２２の制御の下に周波数分析部２３ａおよび２３ｂでそれぞれ目標として検出したスペクトルの周波数を検出する信号検出部２４ａおよび２４ｂと、信号処理制御部２２の制御の下に信号検出部２４ａおよび２４ｂで検出されたスペクトルの周波数から所望の組み合わせを検索する組合せ検索部２５と、信号処理制御部２２の制御の下に組合せ検索部２５の目標の相対速度を計測する速度計測部２６とを備える。
【００１０】
次に、まず、図１５の全体の動作について説明する。
FMICW方式では、その名の通り周波数変調をかけた連続波を間欠的に用いる。レーダ装置１内にある制御部２の制御により、変調波形発生部３で生成されたアップフェーズとダウンフェーズから成る変調波形はVCO４へ入力され、図１６に示すVCO信号１６となり、スイッチ５に入力される。スイッチ５および６は制御部２によって制御され、図１７に示すようにあらかじめ設定された時間τだけt端子へ、あらかじめ設定された時間T-τの間はr端子へそれぞれ同期して接続される動作を繰り返す。
【００１１】
まず、アップフェーズの期間において、スイッチ５および６時間が時間τだけt端子に接続されている状態のＶＣＯ４からのVCO信号１６は図１６の送信信号１７となり、スイッチ５および６を経由してアンテナ７に入力され、アンテナ７から空中へ放射される。空中へ放射された送信信号１７は、ある相対距離Rに在りある相対速度Vで移動する目標８に照射され、その一部が反射される。
その反射波は、相対速度Vに応じたドップラー周波数分Fvだけシフトし、送信信号１７からKτ=2R/c(cは電波の速度)だけ遅れた時間にアンテナ７で受信されて図１６の受信信号１９となり、時間T-τだけr端子に接続されたスイッチ６を経由して分配回路９ａへ入力される。分配回路９ａは入力された信号を２分割し、それぞれミキサ１１ａとミキサ１１ｂへ入力する。
【００１２】
一方、時間T-τだけr端子に接続されたスイッチ５を経由したVCO信号１６は、図１６のローカル信号１８として分配回路９ｂへ入力される。分配回路９ｂは入力された信号を２分割し、ミキサ１１ａと移相回路１０へ入力する。移相回路１０は入力された信号をπ／２ラジアンだけ位相をシフトさせミキサ１１ｂへ出力する。
各ミキサ１１ａ、１１ｂに入力された受信信号１９とローカル信号１８は時間T-τ内のKτ〜(K+1)τの期間においてミキシングされ、受信信号１９とローカル信号１８の周波数差が周波数として表れるビート信号２０となる。
このとき、ミキサ１１ａによるビート信号２０は複素信号の実部に、ミキサ１１ｂによるビート信号２０は複素信号の虚部に相当するので、ビート信号２０は複素信号として得られる。
【００１３】
ダウンフェーズの期間においても、上記のアップフェーズの期間と同様にして、ビート信号２０が得られる。
このとき、アップフェーズにおけるビート信号２０をSup(t)とすると、このSup(t)は下記の式(1)で表され、また、ダウンフェーズにおけるビート信号２０をSdn(t)とすると、このSdn(t)は下記の式(2)で表される。
【００１４】
【数１】
0003946852.tif 000002
【００１５】
ビート信号２０はτ毎にAD変換器１２によってサンプリングされ、メモリ１３に格納される。格納の際には図１８に示されるように、各フェーズについて送信信号１７を表すデータP1に続くn回のサンプルを順に(P1,R1)、(P1,R2)、(P1,R3)、…、(P1,Rn)として格納する。
送信信号１７を表すデータP2以降も同様に(P2,R1)、(P2,R2)、(P2,R3)、…、(P2,Rn)の様にしてメモリ１３に格納する。ここで、Rk(k=1〜n)には下記の式(5)で示される範囲の相対距離にある目標の信号が含まれている。
【００１６】
【数２】
0003946852.tif 000003
【００１７】
データPmについてのサンプルが終了する時間で、制御部２によって信号処理部１４がメモリ１３からデータを読みとり、信号処理を始める。
次に、信号処理部１４の詳細な動作について、その信号処理手順を示す図２０と、信号処理部１４における周波数分析部２３の入出力を示す図２１図を参照しながら説明する。
なお、図２１では、周波数分析部への入力信号２７ａ〜２７ｃと、周波数分析部からの出力信号２８ａ〜２８ｃとを示している。
【００１８】
まず、ステップST１で信号処理制御部２２が、自身に備わっているカウンタ(変数)k＝1とする。
ステップST２では、信号処理制御部２２の制御で、周波数分析部２３ａが、図１８のアップフェーズ用データマトリクス２１からRk列目のデータP1〜Pmを読みとり、そのデータについて例えばFFT(Fast Fourier Transform)などにより図２１に示すように入力信号P1〜Pm27から、出力信号28として周波数スペクトルを求め、信号検出部２４ａへ出力する。
ステップST３では、信号処理制御部２２の制御で、信号検出部２４ａが、入力された周波数スペクトルについて、例えばCFAR(Constant False Alarm Rate)検出を用いて信号検出を行ない、目標として検出したスペクトルの周波数U1、U2、…、Upを得て組合せ探索部２５へ出力する。
【００１９】
ステップST４では、信号処理制御部２２の制御で、周波数分析部２３ｂが、図１８のダウンフェーズ用データマトリクス２１からRk列目のデータP1〜Pmを読みとり、そのデータについて例えばFFTなどにより周波数スペクトルを求め、信号検出部２４ｂへ出力する。
ステップST５では、信号処理制御部２２の制御で、信号検出部２４ｂが、入力された周波数スペクトルについて、例えばCFAR検出を用いて信号検出を行ない、目標として検出したスペクトルの周波数D1、D2、…、Dqを求め組合せ探索部２５へ出力する。
【００２０】
次にステップST６では、信号処理制御部２２の制御で、組合せ探索部２５が、入力されたU1、U2、…、UpとD1、D2、…、Dqについて総当たりで組合せ、下記の式(６)で求めた相対距離Rが上記式(５)に示すRkの範囲となる組合せCij(Ui,Dj)を探索する。
組合せが見つかった場合には、ステップST７に進み、探索時に求めた相対距離Rを図１５の表示部１５へ出力し、また、その組合せCij(Ui,Dj)を速度計測部２６へ出力する。
【００２１】
【数３】
0003946852.tif 000004
【００２２】
さらに、ステップST７では速度計測部２６が、入力されたCij(Ui,Dj)から、式(７)を用いて目標の相対速度Vを求め、図１５の表示部１５へ出力する。
【００２３】
【数４】
0003946852.tif 000005
【００２４】
表示部１５は、入力された相対距離Rと相対速度Vを、例えばCRT上に文字あるいは画像を用いてその情報として表示する。
続いてステップST８では、信号処理制御部２２がカウンタ変数kに1を加える。ステップST９では、信号処理制御部２２がカウンタ変数kの値をnと比較し、小さければ再度ステップST２の処理を周波数分析部２３ａに行なわせ、大きければ終了する。
【００２５】
【発明が解決しようとする課題】
上記のように構成された従来のレーダ装置では、各フェーズのRk(k=1〜n)において、検出結果が１つであれば問題なくその目標について相対距離と相対速度を求めることが可能である。
しかしながら、実際には各Rkにおいて検出結果が複数となる場合があり、図２０のステップST６で組合せ探索部２５が同一目標に対する組合せCij(Ui,Dj)を探索する際に、全ての組合せを実時間で探索しきれず、検出処理で検出しているにも拘わらず相対距離と相対速度を求めることができないという問題点があった。
【００２６】
この発明は上記の問題点を解消するためになされたもので、組合せ探索時に制限を設けて複数の目標についての相対距離と相対速度を実時間で計測可能なレーダ装置およびこのレーダ装置における目標相対距離・相対速度探索方法を得ることを目的とする。
【００２７】
【課題を解決するための手段】
請求項第１項の発明に係るレーダ装置における目標相対距離・相対速度探索方法は、変調周波数上昇期間(アップフェーズ)と変調周波数下降期間(ダウンフェーズ)から成る連続波を間欠的に送信信号とローカル信号に切換え、このローカル信号と受信信号間のビート信号を用いるレーダ装置における目標相対距離・相対速度探索方法において、間欠的な送信信号からの遅れ時間のみにより制限される距離範囲に相当するビート周波数とあらかじめ設定された測定速度範囲から、組合せ探索に使用するアップフェーズにおけるビート周波数の範囲と組合せ探索に使用するダウンフェーズにおけるビート周波数の範囲を設定するステップと、上記範囲に限って、アップフェーズにおけるビート周波数とダウンフェーズにおけるビート周波数について同一目標に対する組合せを探索するステップとを含むものである。
【００２８】
請求項第２項の発明に係るレーダ装置における目標相対距離・相対速度探索方法は、アップフェーズと無変調フェーズから成る連続波を間欠的に送信信号とローカル信号に切換え、このローカル信号と受信信号間のビート信号を用いるレーダ装置における目標相対距離・相対速度探索方法であって、間欠的な送信信号からの遅れ時間のみにより制限される距離範囲に相当するビート周波数とあらかじめ設定された測定速度範囲から、組合せ探索に使用するアップフェーズにおけるビート周波数の範囲と組合せ探索に使用する無変調フェーズにおけるビート周波数の範囲を設定する第１のステップと、上記範囲内とされた無変調フェーズにおけるビート周波数についてあらかじめ定められた基準で設けられた優先順位を設定する第２のステップと、上記範囲に限って、上記優先順位の無変調フェーズにおけるビート周波数とアップフェーズにおけるビート周波数について同一目標に対する組合せを探索する第３のステップとを含むものである。
【００３０】
請求項第３項の発明に係るレーダ装置における目標相対距離・相対速度探索方法は、上記第２のステップの代わりに、レーダプラットフォームの対地速度を計測し、上記範囲内とされた無変調フェーズにおけるビート周波数について上記対地速度で接近している目標に相当するビート周波数付近の結果を棄却した後、あらかじめ定められた基準で設けられた優先順位を設定するステップを用いるものである。
【００３１】
請求項第４項の発明に係るレーダ装置は、複数の変調形態をなす連続波を間欠的に送信信号とローカル信号に切換えて送出する信号発生手段と、該信号発生手段からの送信信号が外部の目標で反射されてくる受信信号と上記ローカル信号間のビート信号を形成して記憶するビート信号形成手段と、該ビート信号形成手段からの間欠的な送信信号からの遅れ時間のみにより制限される距離範囲に相当するビート信号とあらかじめ設定された測定速度範囲に基づいて上記目標に対する相対速度および相対距離を計測する信号処理手段とを備えたものである。
【００３２】
請求項第５項の発明に係るレーダ装置は、請求項４の発明において、上記信号発生手段が、アップフェーズとダウンフェーズの変調波形を発生する変調波形発生部を備え、上記信号処理手段が、間欠的な送信信号からの遅れ時間のみにより制限される距離範囲に相当するビート周波数とあらかじめ設定された測定速度範囲から、組合せ探索に使用するアップフェーズにおけるビート周波数の範囲と組合せ探索に使用するダウンフェーズにおけるビート周波数の範囲を設定する手段、および上記範囲に限って、アップフェーズにおけるビート周波数とダウンフェーズにおけるビート周波数について同一目標に対する組合せを探索する手段を有する信号処理部を備えたものである。
【００３３】
請求項第６項の発明に係るレーダ装置は、請求項４の発明において、上記信号発生手段が、アップフェーズと無変調フェーズの変調波形を発生する変調波形発生部を備え、上記信号処理手段は、間欠的な送信信号からの遅れ時間のみにより制限される距離範囲に相当するビート周波数とあらかじめ設定された測定速度範囲から、組合せ探索に使用するアップフェーズにおけるビート周波数の範囲と組合せ探索に使用する無変調フェーズにおけるビート周波数の範囲を設定する手段、上記範囲内とされた無変調フェーズにおけるビート周波数についてあらかじめ定められた基準で設けられた優先順位を設定する手段、および上記範囲に限って、上記優先順位の無変調フェーズにおけるビート周波数とアップフェーズにおけるビート周波数について同一目標に対する組合せを探索する手段を有する信号処理部を備えたものである。
【００３５】
請求項第７項の発明に係るレーダ装置は、請求項６の発明において、更に、レーダプラットフォームの対地速度を計測するレーダプラットフォーム対地速度計測部を備え、上記信号処理手段が、上記信号処理部内の優先順位を設定する手段に代えて、上記範囲内とされた無変調フェーズにおけるビート周波数について上記対地速度で接近している目標に相当するビート周波数付近の結果を棄却した後、あらかじめ定められた基準で設けられた優先順位を設定する手段を有する信号処理部を備えたものである。
【００３６】
【発明の実施の形態】
以下、この発明の実施の形態について図を参照して説明する。
実施の形態１．
図１はこの発明の実施の形態１を示す構成図である。
図において、図１５と対応する部分には同一符号を付し、その詳細説明を省略する。
本実施の形態のレーダ装置１Ａは、図１５の信号処理部１４の代わりに信号処理手段としての信号処理部２９を備える。その他の構成は、図１５の構成と同様である。なお、構成要素２〜６は信号発生手段を構成し、構成要素９〜１３はビート信号形成手段を構成する。
【００３７】
図２は信号処理部２９の具体的回路構成の一例を示すブロック図である。
図において、図１９と対応する部分には同一符号を付し、その詳細説明を省略する。
信号処理部２９は、上述の周波数分析部２３ａ、２３ｂ、信号検出部２４ａ、２４ｂ、および速度計測部２６の外に、後述する探索範囲設定部３１と、組合せ探索部３２と、これらを制御する信号処理制御部３０とを備える。
探索範囲設定部３１は、信号処理制御部３０の制御の下に組合せ探索範囲を設定し、組合せ探索部３２は、信号処理制御部３０の制御の下に信号検出部２４ａおよび２４ｂで検出されたスペクトルの周波数から探索範囲設定部３１で設定された探索範囲にある所望の組み合わせを探索するようになされている。
その他の構成要素は、上記の図１９で示したものと同等である。
【００３８】
次に、まず、図１の全体の動作について説明する。
アップフェーズ、ダウンフェーズにそれぞれについて、制御部２によって、VCO４からスイッチ５および６を経由してアンテナ７から送信された電波が、相対距離Rに在り相対速度Vで移動する目標物８で反射し、アンテナ７とスイッチ６を経由した後、分配回路９、移相回路１０を経てミキサ１１でビート信号となり、AD変換部１２でサンプリングされ、メモリ１３にデータとして格納されるのは、上述と同様である。
次いで、データPmについてのサンプルが終了する時間で、制御部２によって信号処理部２９がメモリ１３からデータを読みとり、信号処理を始める。
【００３９】
次に、信号処理部２９の詳細な動作について、図３を参照しながら説明する。ステップST１で信号処理制御部３０が、自身に備わっているカウンタ(変数)k＝1とし、ステップST２〜ステップST５では、上記図２０と同様に信号処理制御部３０によって、周波数分析部２３ａ、２３ｂと信号検出部２４ａ、２４ｂが動作する。
ステップST１０では、探索範囲設定部３１が、信号処理制御部３０から入力される現時点で計測対象であるRkと、あらかじめ設定されている測定速度範囲-Vmns〜Vplsより、組合せ探索範囲を各フェーズで下記の式(8)〜(11)によって設定し、
組合せ探索部３２へ出力する。
即ち、ステップST１０では、現時点で計測対象であるRkと、あらかじめ設定されている測定速度範囲-Vmns〜Vplsから、組合せ探索範囲を各フェーズで設定する。
アップフェーズにおいては、式(8)で表される周波数Umnsから式(9)で表される周波数Uplsまでであり、ダウンフェーズにおいては、式(10)で表される周波数Dmnsから式(11)で表される周波数Dplsまでである。
【００４０】
【数５】
0003946852.tif 000006
【００４１】
次にステップST１１では、組合せ探索部３２が、ステップST２で得られた信号検出部２４ａの出力U1、U2、…、UpのうちステップST１０で設定されたUmns〜Uplsの範囲にある結果とステップST４で得られた信号検出部２４ｂの出力D1、D2、…、DqのうちステップST１０で設定されたDmns〜Dplsの範囲にある結果について総当たりで組合せ、上記式(６)で求めた相対距離Rが上記式(５)に示すRkの範囲となる組合せCij(Ui,Dj)を探索し、組合せが見つかった場合には、ステップST７に進み、探索時に求めた相対距離Rを図１の表示部１５へ出力し、さらに、組合せCij(Ui,Dj)を速度計測部２６へ出力する。
【００４２】
速度計測部２６は上記と同様に動作し、表示部１５へ出力する。表示部１５は、上記と同様に入力された相対距離Rと相対速度Vを、例えばCRT上に文字あるいは画像を用いてその情報として表示する。
ステップST８では、信号処理制御部３０がカウンタ変数kに1を加える。ステップST９では、信号処理制御部３０がカウンタ変数の値をnと比較し、小さければ再度ステップST２の処理を周波数分析部２３ａに行なわせ、大きければ終了する。
【００４３】
このようにして、本実施の形態では、組合せ探索に範囲を設定するように構成したので、組合せ探索に必要な処理時間を短くして目標を計測することができる。
なお、図２に示す信号処理部２９については、各構成要素をそれぞれ専用の回路とする構成でもよいし、信号処理部２９を計算機とし、中央処理装置が信号処理制御部３０で、他の構成要素はソフトウエアとする構成でもよい。
【００４４】
実施の形態２．
図４はこの発明の実施の形態２を示す構成図である。
図において、図１と対応する部分には同一符号を付し、その詳細説明を省略する。
本実施の形態のレーダ装置１Ｂは、図１の変調波形発生部３の代わりにアップフェーズと無変調フェーズの変調波形を発生する変調波形発生部３３を、また、信号処理部２９の代わりに信号処理手段としての信号処理部３４を備える。その他の構成は、図１の構成と同様である。なお、構成要素２、３３および４〜６は信号発生手段を構成し、構成要素３４および１５は信号処理手段を構成する。
【００４５】
図５は信号処理部３４の具体的回路構成の一例を示すブロック図である。
図において、図２と対応する部分には同一符号を付し、その詳細説明を省略する。
信号処理部３４は、上述の周波数分析部２３ａ、２３ｂおよび信号検出部２４ａ、２４ｂの外に、信号処理制御部３０により共に制御される後述の探索範囲設定部３５、組合せ探索部３７および速度計測部３８と、探索範囲設定部３５で設定された探索範囲内の信号検出部２４ｂからの検出信号に優先順位を設定する優先順位設定部３６とを備える。
探索範囲設定部３５は、信号処理制御部３０の制御の下に組合せ探索範囲を設定し、組合せ探索部３７は、信号処理制御部３０の制御の下に信号検出部２４ａで検出されたスペクトルの周波数と、探索範囲設定部３５で設定された探索範囲内の信号検出部２４ｂからの優先順位設定部３６で並び替えられた順の検出信号（スペクトルの周波数）との組合せから所望の組み合わせを探索するようになされている。その他の構成要素は、上記の図２で示したものと同等である。
【００４６】
また、図６はFMICW方式における各信号の時間に対する周波数を示したものであり、以下では上述した図１６と同様に時間の経過につれて周波数が高くなる変調区間をアップフェーズとし、一方、時間の経過に拘わらず周波数が一定の区間を無変調フェーズとする。
図において、アップフェーズのVCO信号１６ａ、無変調フェーズのVCO信号１６ｃはＶＣＯ４から発生される信号であり、アップフェーズの送信信号１７ａ、無変調フェーズの送信信号１７ｃはスイッチ５および６がｔ端子に接続されている時間τの間ＶＣＯ４からアンテナ７から空中へ放射される信号である。
【００４７】
また、アップフェーズのローカル信号１８ａおよび無変調フェーズのローカル信号１８ｃはスイッチ５および６がｒ端子に接続されている時間Ｔ−τの間ＶＣＯ４から分配回路９ｂに入力される信号であり、アップフェーズの受信信号１９ａおよび無変調フェーズの受信信号１９ｃはスイッチ５および６がｒ端子に接続されている時間Ｔ−τの間送信信号より所定時間遅れてアンテナ７で受信されて分配回路９ａに入力される信号であり、アップフェーズのビート信号２０ａおよび無変調フェーズのビート信号２０ｃはミキサ１１ａ、１１ｂによりローカル信号１８ａ、１８ｃと受信信号１９ａ、１９ｃがミキシングされて出力される信号である。
【００４８】
図７は図４のメモリ１３における、アップフェーズと無変調フェーズのサンプルデータについて示したものであり、図６の送信信号１７ａ、１７ｃに対して時間Ｒ１〜Ｒｎのタイミングでサンプリングすると、これに対応してデータＰ１〜Ｐｎが取り込まれ、図７の下側に行Ｐ１〜Ｐｎおよび列Ｒ１〜Ｒｎで表したアップフェーズ用データマトリクス２１ａ、２１ｃがメモリ１３上に確保される状態を表している。
【００４９】
次に、まず、図４の全体の動作について説明する。
アップフェーズについて、制御部２によって、VCO４からスイッチ５および６を経由してアンテナ７から送信された電波が、相対距離Rに在り相対速度Vで移動する目標物８で反射し、アンテナ７とスイッチ６を経由した後、分配回路９、移相回路１０を経てミキサ１１でビート信号となり、AD変換部１２でサンプリングされ、メモリ１３にデータとして格納されるのは上述と同様である。
【００５０】
次に、アップフェーズの場合と同様に、変調波形発生部３３により、図７に示す無変調フェーズについて送信および受信が行なわれ、データがメモリ１３に格納される。このとき、各フェーズのデータは図７に示されるようにメモリ１３に格納される。
データPmについてのサンプルが終了する時間で、制御部２によって信号処理部３４がメモリ１３からデータを読みとり、信号処理を始める。
【００５１】
次に、信号処理部３４の詳細な動作について、図８を参照しながら説明する。まず、ステップST１で信号処理制御部３０が、自身に備わっているカウンタ(変数)k＝1とし、ステップST２、ステップST３では、上記と同様に信号処理制御部３０によって、周波数分析部２３ａと信号検出部２４ａが動作し、アップフェーズにおける処理が行われる。
ステップST１２では、信号処理制御部３０の制御で、周波数分析部２３ｂが、図７の無変調フェーズ用データマトリクス２１ｃからRk列目のデータP1〜Pmを読みとり、そのデータについて例えばFFTなどにより周波数スペクトルを求める。即ち、ステップST１２では、図６に示す無変調フェーズにおける下記の式（１４）のScw（t）で表されるビート信号２０のうち、Ｒｋに対応するデータP1〜Pmについて周波数スペクトルを求める。そして、周波数スペクトルを信号検出部２４ｂへ出力する。
【００５２】
【数６】
0003946852.tif 000007
【００５３】
ステップST１３では、信号処理制御部３０の制御で、信号検出部２４ｂが、入力された周波数スペクトルについて、例えばCFAR検出を用いて信号検出を行ない、目標として検出したスペクトルの周波数W1、W2、…、Woを求め優先順位設定部３６へ出力する
ステップST１４では、探索範囲設定部３５が信号処理制御部３０から入力される現時点で計測対象であるRkと、あらかじめ設定されている測定速度範囲-Vmns〜Vplsより、組合せ探索範囲を各フェーズで上記式(8),(9),(12),(13)によって設定し、優先順位設定部３６と組合せ探索部３７へ出力する。
即ち、ステップST１４では、現時点で計測対象であるRkと、あらかじめ設定されている測定速度範囲-Vmns〜Vplsから、組合せ探索範囲を各フェーズで設定する。
アップフェーズにおいては、式(8)で表される周波数Umnsから式(9)で表される周波数Uplsまでであり、無変調フェーズにおいては、式(12)で表される周波数Wmnsから式(13)で表される周波数Wplsまでである。
【００５４】
【数７】
0003946852.tif 000008
【００５５】
ステップST１５では、優先順位設定部３６が、ステップST１４で設定された範囲内の入力されたW1、W2、…、Woについて、あらかじめ設定された優先度、例えば昇順あるいは降順に、並べ替え組合せ探索部３７へ出力する。
ステップST１６では、組合せ探索部３７が、ステップST１４で設定された範囲内について、ステップST１４で並び替えられた順にW1、W2、…、Woを、ステップST３で得られたU1、U2、…、Upと組合せ、下記の式(16)で得られる相対距離Rを求めた結果が式(５)に示すRkの範囲となる組合せCij(Ui,Wj)を探索する。
【００５６】
【数８】
0003946852.tif 000009
【００５７】
組合せが見つかった場合には、ステップST１７に進み、探索時に求めた相対距離Rを図４の表示部１５へ出力し、さらに、組合せCij(Ui,Dj)のWjを速度計測部３８へ出力する。速度計測部３８は、入力されたWjから下記の式(17)によって相対速度Vを求め、表示部１５へ出力する。表示部１５は、上記と同様に入力された相対距離Rと相対速度Vを、例えばCRT上に文字あるいは画像を用いてその情報として表示する。
ステップST８、ステップST９では、上記実施の形態１と同様に、速度計測部３８と信号処理制御部３０が動作する。
【００５８】
【数９】
0003946852.tif 000010
【００５９】
このようにして、本実施の形態では、組合せ探索の際に優先度を設定するように構成したので、優先度の高い目標から相対距離と相対速度を計測することができる。
なお、図５に示す信号処理部３４については、各構成要素をそれぞれ専用の回路とする構成でもよいし、信号処理部３４を計算機とし、中央処理装置が信号処理制御部３０で、他の構成要素はソフトウエアとする構成でもよい。
【００６０】
実施の形態３．
図９はこの発明の実施の形態３を示す構成図である。
図において、図１および図２と対応する部分には同一符号を付し、その詳細説明を省略する。
本実施の形態のレーダ装置１Cは、図１の変調波形発生部３の代わりに実施の形態２の図４で用いたアップフェーズと無変調フェーズの変調波形を発生する変調波形発生部３３を、また、信号処理部２９の代わりに信号処理手段としての信号処理部３９を備える。その他の構成は、図１の構成と同様である。
【００６１】
図１０は信号処理部３９の具体的回路構成の一例を示すブロック図である。
図において、図２と対応する部分には同一符号を付し、その詳細説明を省略する。
信号処理部３９は、上述の周波数分析部２３ａ、２３ｂおよび信号検出部２４ａ、２４ｂの外に、無変調フェーズにおける速度計測範囲を設定する速度計測範囲設定部４１と、速度計測範囲設定部４１で設定された範囲内の信号検出部２４ｂから入力される目標として検出したスペクトルの周波数の数をカウントする検出目票数カウント部４０と、信号処理制御部３０により共に制御される後述の組合せ探索部４２および距離・速度計測部４３とを備える。
【００６２】
組合せ探索部４２は、信号処理制御部３０の制御の下に検出目標カウント部４０から入力された目標数が所定の値のとき信号検出部２４ａから入力されたスペクトルの周波数と信号検出部２４ｂから入力されたスペクトルの周波数を出力し、そうでなければ、速度計測範囲設定部４１で設定された範囲内のスペクトルの周波数を出力する。
また、距離・速度計測部４３は信号処理制御部３０の制御の下に組合せ探索部４２と検出目標カウント部４０の出力に基づいて距離と速度を計測する。
その他の構成要素は、上記の図２で示したものと同等である。
【００６３】
次に、まず、図９の全体の動作を説明する。
上記実施の形態２と同様に、アップフェーズ、無変調フェーズにそれぞれについて、制御部２によって、VCO４からスイッチ５および６を経由してアンテナ７から送信された電波が、相対距離Rに在り相対速度Vで移動する目標８で反射し、アンテナ７とスイッチ６を経由した後、分配回路９、移相回路１０を経てミキサ１１でビート信号となり、AD変換部１２でサンプリングされ、メモリ１３にデータとして格納される。このとき、上記実施の形態２と同様に図７に示されるように格納される。
データPmについてのサンプルが終了する時間で、制御部２によって信号処理部３９がメモリ１３からデータを読みとり、信号処理を始める。
【００６４】
次に、信号処理部３９の詳細な動作について、図１１を参照しながら説明する。
ステップST１で信号処理制御部３０が、自身に備わっているカウンタ(変数)k＝1とし、ステップST２、ステップST３、ステップST１２、ステップST１３では、上記実施の形態２と同様に信号処理制御部３０によって、周波数分析部２３ａ、２３ｂと信号検出部２４ａ、２４ｂが動作する。
【００６５】
ステップST１８では、速度計測範囲設定部４１があらかじめ設定されている測定速度範囲-Vmns〜Vplsより、無変調フェーズにおける速度計測範囲を上記式(12)で表される周波数Wmnsから上記式(13)で表される周波数Wplsまでと設定する。そして、速度計測範囲設定部４１は式(12)と(13)から設定した速度計測範囲を検出目標カウント部４０と組合せ探索部４２へ出力する。
次に、ステップST１９では、検出目標カウント部４０が、ステップST１８で速度計測範囲設定部４１により設定された範囲内の信号検出部２４ｂから入力される目標として検出したスペクトルの周波数W1、W2、…、Woについて、その数Xをカウントし、組合せ探索部４２へ出力する。
【００６６】
ステップST２０では、組合せ探索部４２が、検出目標カウント部４０から入力された目標数Xが１であるか判定し、１であれば、ステップST２１に進み信号検出部２４ａから入力されたスペクトルの周波数U1と、信号検出部２４ｂから入力されたスペクトルの周波数W1を距離・速度計測部４３へ入力し、距離・速度計測部４３は上記式(16)と上記式(17)からそれぞれ相対距離Rと相対速度Vを求め、図９の表示部１５へ出力する。
【００６７】
また、目標数Xが１でなければ、ステップST２２に進み組合せ探索部４２がステップST１８で速度計測範囲設定部４１により設定された範囲内のW1、W2、…、Wxを距離・速度計測部４３へ出力する。
距離・速度計測部４３は、相対距離は下記の式(18)で表される距離の代表値Rk'として、上記式(17)によりW1、W2、…、Wxから速度V1、V2、…、Vxを求め、図９の表示部１５へ出力する。表示部１５は、上記と同様に入力された相対距離Rと相対速度Vを、例えばCRT上に文字あるいは画像を用いてその情報として表示する。
以降ステップST８、ステップST９では信号処理制御部３０が上記実施の形態２と同様に動作する。
【００６８】
【数１０】
Ｒｋ’＝｛（２ｋ＋１）／２｝×｛ｃτ／２｝          （１８）
【００６９】
このようにして、本実施の形態では、Rk内に複数目標がいる場合には目標数とその相対速度だけを求め、相対距離はすべてRkについての代表値とするように構成したので、組合せ探索に必要な処理時間を省いて目標を計測することができる。
なお、図１０に示す信号処理部３９については、各構成要素をそれぞれ専用の回路とする構成でもよいし、信号処理部３９を計算機とし、中央処理装置が信号処理制御部２２で、他の構成要素はソフトウエアとする構成でもよい。
【００７０】
実施の形態４．
図１２はこの発明の実施の形態４を示す構成図である。
図において、図４と対応する部分には同一符号を付し、その詳細説明を省略する。
本実施の形態のレーダ装置１Ｄは、図４の信号処理部３４の代わりに信号処理手段としての信号処理部４５を備える。その他の構成は、図４の構成と同様である。
【００７１】
図１３は信号処理部４５の具体的回路構成の一例を示すブロック図である。
図において、図２および図５と対応する部分には同一符号を付し、その詳細説明を省略する。
信号処理部４５は、上述の周波数分析部２３ａ、２３ｂおよび信号検出部２４ａ、２４ｂの外に、信号処理制御部３０により共に制御される探索範囲設定部３５、組合せ探索部３７および速度計測部２６と、探索範囲設定部３５で設定された探索範囲内の信号検出部２４ｂからの検出信号に優先順位を設定する優先順位設定部４６とを備える。
【００７２】
優先順位設定部４６は探索範囲設定部３５で設定された範囲内の信号検出部２４ｂから入力された信号について、レーダプラットフォーム対地速度計測部４４から入力された対地速度と所定の関係にあるものを棄却した後、あらかじめ設定された優先度、例えば昇順あるいは降順に、並べ替え組合せ探索部３７へ出力するようになされている。
その他の構成要素は、上記の図５で示したものと同等である。
【００７３】
次に、図１２の全体の動作について説明する。
上記実施の形態２と同様に、アップフェーズ、無変調フェーズにそれぞれについて、制御部２によって、VCO４からスイッチ５および６を経由してアンテナ７から送信された電波が、相対距離Rに在り相対速度Vで移動する目標８で反射し、アンテナ７とスイッチ６を経由した後、分配回路９、移相回路１０を経てミキサ１１でビート信号となり、AD変換部１２でサンプリングされ、メモリ１３にデータとして格納される。このとき、上記実施の形態２と同様に図７に示されるように格納される。
データPmについてのサンプルが終了する時間で、制御部２によって信号処理部４５がメモリ１３からデータを読みとり、信号処理を始める。
【００７４】
次に、信号処理部４５の詳細な動作について図１４を参照しながら説明する。
ステップST１で信号処理制御部３０が、自身に備わっているカウンタ(変数)k＝1とし、ステップST２、ステップST３、ステップST１２、ステップST１３では、上記実施の形態２と同様に信号処理制御部３０によって、周波数分析部２３ａ、２３ｂと信号検出部２４ａ、２４ｂが動作する。
ステップST２３では、レーダプラットフォーム対地速度計測部４４が、例えばレーダプラットフォームが自動車の場合ではタイヤの回転数などから、自動車(レーダプラットフォーム)の対地速度Vzを計測し、優先順位設定部４６へ出力する。
【００７５】
ステップST１４では、探索範囲設定部３５が、上記実施の形態２と同様に動作する。
次にステップST２４では、優先順位設定部４６が、ステップST１４で探索範囲設定部３５により設定された範囲内の信号検出部２４ｂからステップST２３で入力されたスペクトルの周波数W1、W2、…、Woについて、レーダプラットフォーム対地速度計測部４４から入力された対地速度Vzと下記の式(19)で示す関係にあるものを棄却した後、あらかじめ設定された優先度、例えば昇順あるいは降順に、並べ替え組合せ探索部３７へ出力する。
【００７６】
【数１１】
0003946852.tif 000011
【００７７】
以降、ステップST１５では組合せ探索部３７が、ステップST１６では速度計測部２６が、ステップST８、ステップST９では信号処理制御部３０が上記実施の形態２と同様に動作する。
図１２の表示部１５は、上記と同様に入力された相対距離Rと相対速度Vを、例えばCRT上に文字あるいは画像を用いてその情報として表示する。
【００７８】
このようにして、本実施の形態では、レーダプラットフォームの速度で接近する目標は静止物として棄却するように構成したので、組合せ探索に必要な処理時間を短くして目標を計測することができる。
なお、図１２に示す信号処理部４５については、各構成要素をそれぞれ専用の回路とする構成でもよいし、信号処理部４５を計算機とし、中央処理装置が信号処理制御部３０で、他の構成要素はソフトウエアとする構成でもよい。
【００７９】
【発明の効果】
請求項第１項の発明によれば、変調周波数上昇期間(アップフェーズ)と変調周波数下降期間(ダウンフェーズ)から成る連続波を間欠的に送信信号とローカル信号に切換え、このローカル信号と受信信号間のビート信号を用いるレーダ装置における目標相対距離・相対速度探索方法において、間欠的な送信信号からの遅れ時間のみにより制限される距離範囲に相当するビート周波数とあらかじめ設定された測定速度範囲から、組合せ探索に使用するアップフェーズにおけるビート周波数の範囲と組合せ探索に使用するダウンフェーズにおけるビート周波数の範囲を設定するステップと、上記範囲に限って、アップフェーズにおけるビート周波数とダウンフェーズにおけるビート周波数について同一目標に対する組合せを探索するステップとを含み、組合せ探索に範囲を設定するようにしたので、組合せ探索に必要な処理時間を短くすることができるという効果がある。
【００８０】
請求項第２項の発明によれば、アップフェーズと無変調フェーズから成る連続波を間欠的に送信信号とローカル信号に切換え、このローカル信号と受信信号間のビート信号を用いるレーダ装置における目標相対距離・相対速度探索方法であって、間欠的な送信信号からの遅れ時間のみにより制限される距離範囲に相当するビート周波数とあらかじめ設定された測定速度範囲から、組合せ探索に使用するアップフェーズにおけるビート周波数の範囲と組合せ探索に使用する無変調フェーズにおけるビート周波数の範囲を設定する第１のステップと、上記範囲内とされた無変調フェーズにおけるビート周波数についてあらかじめ定められた基準で設けられた優先順位を設定する第２のステップと、上記範囲に限って、上記優先順位の無変調フェーズにおけるビート周波数とアップフェーズにおけるビート周波数について同一目標に対する組合せを探索する第３のステップとを含み、組合せ探索に優先度を設定するようにしたので、優先度の高い目標から相対距離と相対速度を得ることができるという効果がある。
【００８２】
請求項第３項の発明によれば、請求項２の発明において、上記第２のステップの代わりに、レーダプラットフォームの対地速度を計測し、上記範囲内とされた無変調フェーズにおけるビート周波数について上記対地速度で接近している目標に相当するビート周波数付近の結果を棄却した後、あらかじめ定められた基準で設けられた優先順位を設定するステップを用い、レーダプラットフォームの速度で接近する目標は静止物として棄却するようにしたので、組合せ検索に必要な処理時間を短くすることができるという効果がある。
【００８３】
請求項第４項の発明によれば、複数の変調形態をなす連続波を間欠的に送信信号とローカル信号に切換えて送出する信号発生手段と、該信号発生手段からの送信信号が外部の目標で反射されてくる受信信号と上記ローカル信号間のビート信号を形成して記憶するビート信号形成手段と、該ビート信号形成手段からの間欠的な送信信号からの遅れ時間のみにより制限される距離範囲に相当するビート信号とあらかじめ設定された測定速度範囲に基づいて上記目標に対する相対速度および相対距離を計測する信号処理手段とを備える構成としたので、探索に必要な処理時間を短くして実時間で目標を迅速に計測することができるという効果がある。
【００８４】
請求項第５項の発明によれば、請求項４の発明において、上記信号発生手段は、アップフェーズとダウンフェーズの変調波形を発生する変調波形発生部を備え、上記信号処理手段は、間欠的な送信信号からの遅れ時間のみにより制限される距離範囲に相当するビート周波数とあらかじめ設定された測定速度範囲から、組合せ探索に使用するアップフェーズにおけるビート周波数の範囲と組合せ探索に使用するダウンフェーズにおけるビート周波数の範囲を設定する手段、および上記範囲に限って、アップフェーズにおけるビート周波数とダウンフェーズにおけるビート周波数について同一目標に対する組合せを探索する手段を有する信号処理部を備え、組合せ探索に範囲を設定するように構成したので、組合せ探索に必要な処理時間を短くして目標を計測することができるという効果がある。
【００８５】
請求項第６項の発明によれば、請求項４の発明において、上記信号発生手段は、アップフェーズと無変調フェーズの変調波形を発生する変調波形発生部を備え、上記信号処理手段は、間欠的な送信信号からの遅れ時間のみにより制限される距離範囲に相当するビート周波数とあらかじめ設定された測定速度範囲から、組合せ探索に使用するアップフェーズにおけるビート周波数の範囲と組合せ探索に使用する無変調フェーズにおけるビート周波数の範囲を設定する手段、上記範囲内とされた無変調フェーズにおけるビート周波数についてあらかじめ定められた基準で設けられた優先順位を設定する手段、および上記範囲に限って、上記優先順位の無変調フェーズにおけるビート周波数とアップフェーズにおけるビート周波数について同一目標に対する組合せを探索する手段を有する信号処理部を備え、組合せ探索に優先度を設定するように構成したので、優先度の高い目標から相対距離と相対速度を計測することができるという効果がある。
【００８７】
請求項第７項の発明によれば、請求項６の発明において、更に、レーダプラットフォームの対地速度を計測するレーダプラットフォーム対地速度計測部を備え、上記信号処理手段が、上記信号処理部内の優先順位を設定する手段に代えて、上記範囲内とされた無変調フェーズにおけるビート周波数について上記対地速度で接近している目標に相当するビート周波数付近の結果を棄却した後、あらかじめ定められた基準で設けられた優先順位を設定する手段を有する信号処理部を備え、レーダプラットフォームの速度で接近する目標は静止物として棄却するように構成したので、組合せ検索に必要な処理時間を短くして目標を計測することができるという効果がある。
【図面の簡単な説明】
【図１】この発明の実施の形態１を示す構成図である。
【図２】この発明の実施の形態１における信号処理部を示すブロック図である。
【図３】この発明の実施の形態１における相対距離と相対速度を求める処理手順を示す図である。
【図４】この発明の実施の形態２を示す構成図である。
【図５】この発明の実施の形態２における信号処理部を示すブロック図である。
【図６】この発明の実施の形態２における各信号の時間に対する周波数を示す図である。
【図７】この発明の実施の形態２におけるメモリ内のデータマトリックスを示す図である。
【図８】この発明の実施の形態２における相対距離と相対速度を求める処理手順を示す図である。
【図９】この発明の実施の形態３を示す構成図である。
【図１０】この発明の実施の形態３における信号処理部を示すブロック図である。
【図１１】この発明の実施の形態３による相対距離と相対速度を求める処理手順を示す図である。
【図１２】この発明の実施の形態４を示す構成図である。
【図１３】この発明の実施の形態４における信号処理部を示すブロック図である。
【図１４】この発明の実施の形態４による相対距離と相対速度を求める処理手順を示す図である。
【図１５】従来のレーダ装置を示す構成図である。
【図１６】従来のレーダ装置における各信号の時間に対する周波数を示す図である。
【図１７】従来のレーダ装置におけるスイッチの時間に対する接続端子を示す図である。
【図１８】従来のレーダ装置におけるメモリ内のデータマトリックスを示す図である。
【図１９】従来のレーダ装置における信号処理部を示すブロック図である。
【図２０】従来のレーダ装置による相対距離と相対速度を求める処理手順を示す図である。
【図２１】従来のレーダ装置における処理信号を示す図である。
【符号の説明】
１Ａ〜１Ｄ  レーダ装置、２  制御部、３，３３  変調波形発生部、４  電圧制御発振器（VCO)、５，６  スイッチ、７  アンテナ、８  目標、９  分配回路、１０  移相回路、１１  ミキサ、１２  AD変換器、１３  メモリ、１４，２９，３４，３９，４５  信号処理部、１５  表示部、１６  VCO信号、１７  送信信号、１８  ローカル信号、１９  受信信号、２０  ビート信号、２１  メモリ上のデータマトリクス、２２，３０  信号処理制御部、２３  周波数分析部、２４  信号検出部、２５，３２，３７，４２  組合せ探索部 、２６，３８  速度計測部、２７  周波数分析部への入力信号、２８  周波数分析部からの出力信号、３１，３５  探索範囲設定部、３６，４６  優先順位設定部、４０  検出目標数カウント部、４１  速度計測範囲設定部、４３  距離・速度計測部、４４  レーダプラットフォーム対地速度計測部。
【図１】
0003946852.tif 000012
【図２】
0003946852.tif 000013
【図３】
0003946852.tif 000014
【図４】
0003946852.tif 000015
【図５】
0003946852.tif 000016
【図６】
0003946852.tif 000017
【図７】
0003946852.tif 000018
【図８】
0003946852.tif 000019
【図９】
0003946852.tif 000020
【図１０】
0003946852.tif 000021
【図１１】
0003946852.tif 000022
【図１２】
0003946852.tif 000023
【図１３】
0003946852.tif 000024
【図１４】
0003946852.tif 000025
【図１５】
0003946852.tif 000026
【図１６】
0003946852.tif 000027
【図１７】
0003946852.tif 000028
【図１８】
0003946852.tif 000029
【図１９】
0003946852.tif 000030
【図２０】
0003946852.tif 000031
【図２１】
0003946852.tif 000032